(57)【要約】【課題】訪問者の音声の録音や映像の記録保持を正確にできる留守録機能付きテレビインターホンシステムを提供する。【解決手段】少なくとも１以上のカメラ付きドアホン子器１と、テレビインターホン親機２とを組み合わせて構成された留守録機能付きテレビインターホンシステムにおいて、テレビインターホン親機２は、留守録モード設定時に、カメラ付きドアホン子器１を通じて入力される音声レベルが所定値以上となれば、記録手段２２，２８を作動して、カメラ付きドアホン子器１から入力される音声と映像とを記録させる構成としている。【選択図】図１
2004120129.tif 000002
【特許請求の範囲】
【請求項１】
少なくとも１以上のカメラ付きドアホン子器と、テレビインターホン親機とを組み合わせて構成された留守録機能付きテレビインターホンシステムにおいて、
上記テレビインターホン親機は、
留守録モード設定時に、上記カメラ付きドアホン子器を通じて入力される音声レベルを、予め設定した所定値と比較する音声レベル判別回路と、
この音声レベル判別回路が入力された音声レベルが所定値を越えたと判断したときに作動され、上記カメラ付きドアホン子器から入力される音声と映像を記録するための記録手段とを備えた、留守録機能を備えるテレビインターホンシステム。
【請求項２】
少なくとも１以上のカメラ付きドアホン子器と、テレビインターホン親機とを組み合わせて構成された留守録機能付きテレビインターホンシステムにおいて、
上記テレビインターホン親機は、
留守録モード設定時に、上記カメラ付きドアホン子器を通じて入力される音声レベルを、予め設定した所定値と比較する音声レベル判別回路と、
この音声レベル判別回路が入力された音声レベルが所定値を越えたと判断したときに作動され、上記カメラ付きドアホン子器から入力される音声を記録するための記録手段とを備えた、留守録機能を備えるテレビインターホンシステム。
【請求項３】
請求項１または請求項２において、
上記カメラ付きドアホン子器は、指向性マイクを備え、留守録モード設定時には、その指向性マイクを通じて音声を入力させる構成とした、留守録機能を備えるテレビインターホンシステム。
【請求項４】
請求項１〜３において、
上記テレビインターホン親機は、音声メッセージメモリを備えており、
この音声メッセージメモリは、留守録モードの設定時において、上記カメラ付きドアホン子器からの呼出応答時、あるいは上記音声レベル判別回路が上記カメラ付きドアホン子器から入力された音声が、録音中に所定値より低下したと判断したときに、上記ドアホン子器に正対すべきことを促す音声メッセージを記憶している構成とした、留守録機能を備えるテレビインターホンシステム。
【請求項５】
請求項１〜３において、
上記テレビインターホン親機は、音声メッセージメモリを備えており、
この音声メッセージメモリは、上記記録手段による音声、映像の記録が正常に出来なかったときには、そのことを通知する音声メッセージを記憶している構成とした、留守録機能を備えるテレビインターホンシステム。
【請求項６】
請求項１〜５において、
上記カメラ付きドアホン子器は、報知手段を備えており、
この報知手段は、留守録モードの設定時において、上記カメラ付きドアホン子器からの呼出応答時、あるいは上記音声レベル判別回路が上記カメラ付きドアホン子器から入力された音声が、録音中に所定値より低下したと判断したときに、上記ドアホン子器に正対すべきことを促す報知をなす構成とした、留守録機能を備えるテレビインターホンシステム。
【請求項７】
請求項１〜５において、
上記カメラ付きドアホン子器は、報知手段を備えており、
この報知手段は、上記記録手段による音声、映像の記録が正常に出来なかったときには、そのことを報知する構成とした、留守録機能を備えるテレビインターホンシステム。
【請求項８】
請求項１〜６において、
上記記録手段は、録音した音声メッセージ、記録した映像の少なくとも一方に記録開始時のタイムスタンプを付加する構成にしているテレビインターホンシステム。
【発明の詳細な説明】
【０００１】
【発明の属する技術分野】
本発明は、留守録機能を備えたテレビインターホンシステムの改良に関する。
【０００２】
【従来の技術】
従来より、留守録機能付きテレビインターホンシステムが多用されている。
下記特許文献はその一例を示しており、テレビインターホン親機が留守録モード設定のときに、ドアホン子器から呼出があると、所定時間の間、録音録画処理を実行して、訪問者の映像を記録保持するとともに、ドアホン子器に入力された訪問者の音声を録音する。
【０００３】
【特許文献】
特開２００２−３３８３８号
【発明が解決しようとする課題】
ところが、上記した従来の留守録機能付きインターホンシステムでは、訪問者がドアホン子器に正対して音声入力をしていなかったり、内蔵カメラの撮影範囲外にいたときには、正常に録音、録画ができていなかったことがよくある。
【０００４】
本発明は、上記事情を考慮してなされたものであり、訪問者の音声の録音や映像の記録保持を正確にできる留守録機能付きインターホンシステムを提供することを目的としている。
【０００５】
【課題を解決するための手段】
上記目的を達成するために、本発明の請求項１に記載のインターホンシステムでは、テレビインターホン親機は、留守録モード設定時に、カメラ付きドアホン子器を通じて入力される音声レベルと、予め設定した所定値とを比較する音声レベル判別回路と、この音声レベル判別回路が音声レベルが所定値を越えたと判断したときに記録手段を作動して、カメラ付きドアホン子器を通じて入力された音声と、カメラで撮影された映像を記録する構成にしている。
【０００６】
また、請求項２に記載のインターホンシステムでは、テレビインターホン親機は、留守録モード設定時に、カメラ付きドアホン子器を通じて入力される音声レベルと、予め設定した所定値とを比較する音声レベル判別回路と、この音声レベル判別回路が音声レベルが所定値を越えたと判断したときに記録手段を作動して、カメラ付きドアホン子器を通じて入力された音声を記録する構成にしている。
【０００７】
このような構成によれば、記録手段は、カメラ付きドアホン子器を通じて入力される音声が所定値以上であれば作動されて記録を開始するが、所定値より低下した場合には、記録されない。したがって、最初から所定レベル以上の音声が入力されてくるので、不鮮明な音声や不十分な映像が記録されることがない。また、そのレベルの音声が入ってこないことを見越した余分な録音録画処理時間を確保する必要もなくなるので、メモリ容量も軽減できる。
【０００８】
請求項３に記載のインターホンシステムでは、カメラ付きドアホン子器は、指向性マイクを備え、留守録モード設定時には、その指向性マイクを通じて音声を入力する構成になっている。
【０００９】
このような構成では、留守録モード時には、指向性マイクが作動して、集音領域を限定するので、来客者の音声のみが録音でき、周囲の雑音などを混入させて録音することがない。
【００１０】
また、請求項４に記載のインターホンシステムでは、テレビインターホン親機は、音声メッセージメモリを備えており、このメモリは、留守録モード設定時に、カメラ付きドアホン子器から呼出信号を受けたときは、その呼出応答時、あるいは音声レベル判別回路がカメラ付きドアホン子器から入力された音声が所定値より低下したと判断したときに出力すべき、ドアホン子器に正対すべきことを促す音声メッセージを記憶している。
【００１１】
このような構成では、留守モードに設定されているときに来客が呼出を行い、それに応答した時点、あるいは呼出後、メッセージを録音している途中で音声レベルが所定値より低下した場合には、ドアホン子器のスピーカを通じて、来客に対して正しい録音位置に姿勢を正すように促すことができ、留守記録が正しく行われるようにしている。
【００１２】
さらに、請求項５に記載のインターホンシステムも、インターホン親機側に音声メッセージメモリを備えているが、このメモリには、留守録モード設定時に、カメラ付きドアホン子器から呼出信号を受けて、記憶手段に記録された音声、映像が、その途中で音声レベル判別回路が音声レベルが所定値より低下したと判断され、正常になされなかったときには、そのことを通知する音声メッセージを記憶している。
【００１３】
このような構成では、記録が正常に出来なかった場合に、そのことを音声メッセージで報知するので、再度の録音機会を与えて、留守記録の信頼性を向上させることができる。
【００１４】
また、請求項６に記載のインターホンシステムでは、カメラ付きドアホン子器は報知手段を備えており、この報知手段は留守録モード設定時に、カメラ付きドアホン子器から呼出信号を受けたときは、その呼出応答時、あるいは留守録モードの実行時に音声レベル判別回路がカメラ付きドアホン子器を通じて入力される音声レベルが所定値より低下したと判別したときには、ドアホン子器に正対すべきことを促す報知を行う構成にしている。
【００１５】
このような構成では、留守モードに設定されているときに来客が呼出を行った最初の時点、あるいは呼出後、メッセージを録音している途中で音声レベルが所定値より低下した場合には、ドアホン子器に設けた表示ランプなどの報知手段を通じて、来客に対して正しい録音位置に姿勢を正すように促すことができ、それによって、留守記録が正しく出来るようにしている。
【００１６】
さらに、請求項７に記載のインターホンシステムも、カメラ付きドアホン子器は報知手段を備えており、この報知手段は、留守録モード設定時に、カメラ付きドアホン子器から呼出信号を受けて、記憶手段を作動して記録した音声、映像が記録の途中で、音声レベル判別回路が音声レベルが所定値より低下したと判断したために正常に出来なかったときには、そのことを報知する構成にしている。
このような構成では、記録が正常に出来なかった場合に、表示ランプなどの報知手段を作動して報知するので、再度の録音機会を与えて、留守記録の信頼性を向上させることができる。
【００１７】
請求項８に記載のインターホンシステムでは、テレビインターホン親機は、録画保持した映像、録音した音声のすくなくとも一方について、録画、録音の開始日時のデータを付加する構成としている。
【００１８】
このような構成では、留守録時に記録した映像、音声などに記録の日時が付加されるので再生時に記録日時が分かり便利である。
【００１９】
【発明の実施の形態】
以下に、本発明の実施の形態について、図面とともに説明する。図１は、本発明のテレビインターホンシステムの要部構成の一例を示す図である。
【００２０】
このものでは、カメラ付きドアホン子器１は、訪問客の姿を撮影する撮像素子ＣＣＤ１０と、撮像素子ＣＣＤ１０による映像信号を処理する映像信号処理回路１１と、呼出釦１２と、テレビインターホン親機２に呼出信号を送出する呼出回路１３と、後述する報知手段１４と、マイクＭＩから入力された音声を増幅するマイクアンプ回路１５と、ＦＭ変調回路１６，１８と、テレビインターホン親機２からの音声を増幅してスピーカＳＰに送出するスピーカアンプ回路１７と、音声／制御分離回路１９とを備えている。
【００２１】
ここに、音声／制御分離回路１９は、テレビインターホン親機２から出力される音声信号と制御信号とを分離し、音声信号はスピーカＳＰに出力し、制御信号は報知手段１４に出力している。
【００２２】
一方のテレビインターホン親機２は、映像信号受信回路２０と、映像信号を受けて表示するＬＣＤブロック２１と、映像信号を記録保持する録画回路２２と、ドアホン子器１からの呼出信号を検出する呼出検出回路２３と、ドアホン子器１との間でのハンズフリー通話を可能とするハンズフリー通話回路２４と、音声再生回路２５と、このテレビインターホン親機２を制御する制御用マイコン２６と、録音タイマ２７と、録音メモリ２８と、後述する音声メッセージを保存する音声メッセージメモリ２９とを備え、録画メモリ２２と録音メモリ２８とで記録手段を構成している。
【００２３】
なお、ここでは、テレビインターホン親機２は、通話ボタン（不図示）を操作すれば、スピーカ、マイクを通じてドアホン子器１との通話が出来るハンズフリータイプを示しているが、本発明はこれには限られず、ハンドセットを有するタイプのものでもよい。
【００２４】
また、図例のものでは、ドアホン子器１とテレビインターホン親機２とは、映像信号は映像線Ｌ１，呼出信号は制御線Ｌ２、通話は通話線Ｌｓを通じて伝送、送受される構成にしているが、ドアホン子器１とテレビインターホン親機２とは２線式信号線Ｌで接続し、２線式のテレビインターホンシステムに構成してもよい。図１の下段に示した例では、報知手段１４は報知ランプ１４ａで構成している。
【００２５】
ついで、このような本発明のテレビインターホンシステムの基本動作について説明する。
テレビインターホン親機２は、通常モード時には、ドアホン子器１の呼出釦１２の押し操作により呼出音を出力し、通話スイッチを操作して応答すればドアホン子器１との相互通話ができるが、外出時には、不図示のモード切替スイッチを操作して留守録モードに設定できる。
【００２６】
留守録モードでは、ドアホン子器１から呼出をうけると、制御用マイコン２６は音声メッセージメモリ２９から音声メッセージを読み出し、例えば、「ただいま留守にしております。メッセージを入力してください。」といったメッセージをドアホン子器１に送出し、ドアホン子器１のマイクＭＩを通じて入力された訪問者の音声を、録音メモリ２８に録音し、同時に、ドアホン子器１によって撮影された訪問者の映像を録画回路２２に録画保持するが、本発明は、このような留守録モード時の処理に特徴があり、マイクＭＩを通じてテレビインターホン親機２に入力された音声が所定レベル以上になったときに、記録手段を作動して、録音や録画を始めるようにしている。
【００２７】
テレビインターホン親機２は、このような動作を可能にするため、図２に示すように、ハンズフリー通話回路２４に、音声レベル判別回路２４ＡとＡ／Ｄ変換回路２４Ｂとを備えている。
【００２８】
ドアホン子器１から呼出を受けると、制御用マイコン２６が録音録画タイマ２７を作動させ、一定時間の計時をさせる。制御用マイコン２６は、その一定時間の間、音声レベル判別回路２４Ａにおける音声レベルを監視しており、音声レベル判別回路２４Ａが、ドアホン子器１から入力され、Ａ／Ｄ変換回路２４Ｂでデジタル変換された音声信号のレベルを、予め定められたしきい値Ｌｒｅｆと比較し、しきい値Ｌｒｅｆ以上であればその結果を制御用マイコン２６に通知する。
【００２９】
制御用マイコン２６は、音声レベル判別回路２４Ａから、音声レベルがしきい値Ｌｒｅｆ以上である通知を受け取ると、録画メモリ２２と録音メモリ２８とを作動して、録音録画処理を開始する。このとき、その開始時刻をタイムスタンプとして映像や音声に付加しておく。
【００３０】
図３のフローチャートは、本発明の留守録モードにおける基本動作を示している。
【００３１】
訪問者がドアホン子器１の呼出釦１２を操作すれば、呼出信号が送出され、これをテレビインターホン親機２の呼出検出回路２３が検出する。すると、テレビインターホン親機２では、音声メッセージメモリ２９からガイドメッセージを読み出して、ドアホン子器１に出力させ、音声／制御分離回路１９を通じて、ドアホン子器１のマイクＭＩより出力させる（１００）。
【００３２】
なお、ガイドメッセージには、訪問者にドアホン子器１と正対して音声入力を促すメッセージ、例えば、「ドアホンと正対して話してください。」を含んでおり、ドアホン子器１から呼出信号を受けた応答時に、ドアホン子器１のスピーカＳＰより出力させて、訪問者の姿勢をドアホン子器２に向かって正しく向かわせるようにする。
【００３３】
また、ガイドメッセージを出力するだけに限られず、報知手段１４を表示ランプで構成して報知してもよく、たとえば、表示ランプとしてＬＥＤを２つ設け、音声レベルが所定値以上に保持され、適正に録音されているときには点灯、音声レベルが所定値より低下した場合には点滅させるなどの方法で報知してもよい。報知手段１４としては、複数色の表示ランプを準備し、これらの点灯態様を変化させることによって報知メッセージを通知するようにしてもよし、表示ランプに代えて、ＬＣＤ表示部を設けて、そこに音声メッセージを文字で表示させるようにしてもよい。
【００３４】
音声入力が所定のしきい値以上であれば（１０１，１０２）、制御用マイコン２６は記憶手段を作動し、録音開始音が出力されて録画が開始され、所定時間経過するまで記録が継続される（１０３，１０４）。一方、音声レベルが所定のしきい値未満であれば（１０５）、エラーが報知され（１０６）、表示ランプ１４を点滅させるとともに、必要に応じてエラーアラームを鳴動させる。
【００３５】
この場合のエラー報知は、制御用マイコン２６によって、音声メッセージメモリ２９よりエラーメッセージを読み出す。たとえば、「きちんと録画されていません。もういちどやり直してください。」といったメッセージを読み出してドアホン子器１に出力させ、音声／制御分離回路１９を通じてドアホン子器１のスピーカＳＰより鳴動させてもよい。
【００３６】
また、エラー報知は、音声メッセージを出力するだけに限られず、表示ランプやビープ音、アラームを表示させて報知してもよく、この場合、音声入力指示をガイドする場合とは違う表示態様、たとえば、複数個のＬＥＤなどを同時に点灯、点滅させてもよい。
【００３７】
図４は、本発明の他例を示している。
【００３８】
この例では、図１のドアホン子器１に、指向性マイクＭＩ、マイクアンプ回路１７、ＦＭ変調回路１８を更に付加した構成とし、テレビインターホン親機２が留守録モードに設定されているときには、通常のマイクＭＩに代えて、指向性マイクＭＩ２を作動させるようにしている。
ここに、指向性マイクＭＩ２は、来客者がドアホン子器１に正しく向かい合ったときに、周囲の音声を混入させることなく、音声を取り込むことができるように、集音範囲が狭くなるように設計されている。
このような構成によれば、訪問者の音声のみが指向性マイクＭＩ２によって取得されるため、ドアホン子器１の周囲が騒々しくても、訪問者の音声だけをとらえてテレビインターホン親機２に録音することができる。
【００３９】
【発明の効果】
以上の説明からも理解できるように、本発明の請求項１、２に記載のテレビインターホンシステムでは、留守録モード設定時に、カメラ付きドアホン子器を通じて入力される音声レベルが所定値以上でなければ、音声録音、映像記録をしないので、訪問者の音声を聞きといにくいままで録音したり、不十分な映像を記録することがない。
【００４０】
請求項３に記載のインターホンシステムでは、カメラ付きドアホン子器は、指向性マイクを通じて音声を入力する構成としたので、ドアホン子器の周囲が騒々しくても、訪問者の音声だけをとらえてテレビインターホン親機に録音できる。また、これにより、テレビインターホン親機では、訪問者の音声のみによってその音声レベルを判別できるので、雑音を混入させない鮮明な音声を録音することができる。
【００４１】
請求項４、６に記載のインターホンシステムでは、録音、録画の開始時や、録音、録画の途中で音声の入力レベルが低下した場合には、訪問客に対してドアホン子器に正しく向かう姿勢をとるように注意させて、正確に録音録画することができる。
【００４２】
請求項５、７に記載のインターホンシステムでは、留守録音の途中で音声レベルが低下したため正しく記録できなかった場合には、そのことを音声メッセージで通知するので、訪問客に、再度呼出釦を押すなどして完全な録音録画を期すことができる。
【００４３】
請求項８に記載のインターホンシステムでは、テレビインターホン親機は、録画保持した映像と録音した音声とに、録画保持と録音とを開始した時刻データを付加するので、再生時には、いつ録音録画されたかを容易に確認でき利便である。
【図面の簡単な説明】
【図１】本発明システムの要部構成の一例を示す図である。
【図２】音声レベル判別手段の構成の一例を示す図である。
【図３】本発明システムの基本動作を説明するためのフローチャートである。
【図４】本発明システムの他例における要部構成の一例を示す図である。
【符号の説明】
１・・・カメラ付きドアホン子器
２・・・テレビインターホン親機
１４・・・報知手段
２４Ａ・・・音声レベル判別回路
２４・・・ハンズフリー通話回路
２６・・・制御用マイコン
ＳＰ・・・スピーカ
２２・・・録画メモリ
２８・・・録音メモリ
【図１】
2004120129.tif 000003
【図２】
2004120129.tif 000004
【図３】
2004120129.tif 000005
【図４】
2004120129.tif 000006